【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
第１導体と第２導体との間にスペーサが配置され、前記第１導体と前記第２導体と前記スペーサを絶縁支持物に締結ボルトにより取り付けるスイッチギヤの導体支持構造であって、前記第１導体に形成され、前記締結ボルトが挿通される第１貫通孔と、前記第２導体に形成され、前記締結ボルトが挿通される第２貫通孔と、前記スペーサに形成され、前記締結ボルトが挿通される第３貫通孔と、前記絶縁支持物の前記第１導体との接続面に形成され、前記第１貫通孔と前記第２貫通孔と前記第３貫通孔に挿通される前記締結ボルトが螺着される締結ボルト取付穴と、前記絶縁支持物の前記第１導体との接続面に前記締結ボルト取付穴から間隔をおいて設けられた第１突起体と、前記第１導体に形成され、前記第１突起体が係合される第１係合部と、前記第２導体に形成された第２係合部と、前記スペーサの前記第１導体との接続面に形成され、前記第１係合部に係合される第２突起体と、前記スペーサの前記第２導体との接続面に形成され、前記第２係合部に係合される第３突起体とを設けたことを特徴とするスイッチギヤの導体支持構造。
【請求項２】
前記第１突起体、前記第１係合部、前記第２係合部、前記第２突起体、前記第３突起体は同軸線上に配置されることを特徴とする請求項１に記載のスイッチギヤの導体支持構造。
【請求項３】
前記第１係合部および前記第２係合部は、貫通孔であることを特徴とする請求項１または請求項２に記載のスイッチギヤの導体支持構造。
【請求項４】
前記第１係合部および前記第２係合部は、くぼみであることを特徴とする請求項１または請求項２に記載のスイッチギヤの導体支持構造。
【請求項５】
前記第１係合部および前記第２係合部である貫通孔は、前記第１突起体、前記第２突起体、前記第３突起体の直径よりわずかに大きな内径であることを特徴とする請求項３に記載のスイッチギヤの導体支持構造。
【請求項６】
前記第１係合部および前記第２係合部であるくぼみは、前記第１突起体、前記第２突起体、前記第３突起体の直径よりわずかに大きな内径であることを特徴とする請求項４に記載のスイッチギヤの導体支持構造。
【請求項７】
前記スペーサの前記第２突起体および前記第３突起体には、前記貫通孔と同軸線上に形成された貫通孔を有するとともに、前記第１突起体には前記貫通孔と連通する連通穴を有することを特徴とする請求項３に記載のスイッチギヤの導体支持構造。
【請求項８】
前記第１突起体の前記連通穴と、前記スペーサの前記第２突起体および前記第３突起体の前記貫通孔と、前記第１係合部および前記第２係合部の前記貫通孔とに挿通される回転防止体を設けたことを特徴とする請求項７に記載のスイッチギヤの導体支持構造。
【請求項９】
前記第２突起体、前記第３突起体は、先端部および根本部が前記第１導体に形成された前記第１貫通孔、前記第２導体に形成された前記第２貫通孔の内径よりも小さくし、前記第１導体に形成された前記第１貫通孔、前記第２導体に形成された前記第２貫通孔と係合する前記先端部と前記根本部との間の一部が前記第１貫通孔、前記第２貫通孔の内径よりも大きくし、周方向に複数に分割するスリットを設けたことを特徴とする請求項１に記載のスイッチギヤの導体支持構造。
【請求項１０】
第１導体と第２導体との間に第１スペーサが配置され、前記第２導体と第３導体との間に第２スペーサが配置され、前記第１導体と前記第２導体と前記第３導体と前記第１スペーサと前記第２スペーサを絶縁支持物に締結ボルトにより取り付けるスイッチギヤの導体支持構造であって、前記第１導体に形成され、前記締結ボルトが挿通される第１貫通孔と、前記第２導体に形成され、前記締結ボルトが挿通される第２貫通孔と、前記第３導体に形成され、前記締結ボルトが挿通される第４貫通孔と、前記第１スペーサに形成され、前記締結ボルトが挿通される第３貫通孔と、前記第２スペーサに形成され、前記締結ボルトが挿通される第５貫通孔と、前記絶縁支持物の前記第１導体との接続面に形成され、前記第１貫通孔と前記第２貫通孔と前記第３貫通孔と前記第４貫通孔と前記第５貫通孔とに挿通される前記締結ボルトが螺着される締結ボルト取付穴と、前記絶縁支持物の前記第１導体との接続面に前記締結ボルト取付穴から間隔をおいて設けられた第１突起体と、前記第１導体に形成され、前記第１突起体が係合される第１係合部と、前記第２導体に形成された第２係合部と、前記第３導体に形成された第３係合部と、前記第１導体との接続面に形成され、前記第１係合部に係合される第２突起体と、前記第２導体との接続面に形成され、前記第２係合部に係合される第３突起体と、前記第２導体との接続面に形成され、前記第２係合部に係合される第４突起体と、前記第３導体との接続面に形成され、前記第３係合部に係合される第５突起体とを設けたことを特徴とするスイッチギヤの導体支持構造。
【請求項１１】
前記第１突起体、前記第１係合部、前記第２係合部、前記第３係合部、前記第２突起体、前記第３突起体、前記第４突起体、前記第５突起体は同軸線上に配置されることを特徴とする請求項１０に記載のスイッチギヤの導体支持構造。
【請求項１２】
前記第１係合部、前記第２係合部、前記第３係合部は、貫通孔であることを特徴とする請求項１０または請求項１１に記載のスイッチギヤの導体支持構造。
【請求項１３】
前記第１係合部、前記第２係合部、前記第３係合部は、くぼみであることを特徴とする請求項１０または請求項１１に記載のスイッチギヤの導体支持構造。
【請求項１４】
前記第１係合部、前記第２係合部、前記第３係合部である貫通孔は、前記第１突起体、前記第２突起体、前記第３突起体、前記第４突起体、前記第５突起体の直径よりわずかに大きな内径であることを特徴とする請求項１２に記載のスイッチギヤの導体支持構造。
【請求項１５】
前記第１係合部、前記第２係合部、前記第３係合部であるくぼみは、前記第１突起体、前記第２突起体、前記第３突起体、前記第４突起体、前記第５突起体の直径よりわずかに大きな内径であることを特徴とする請求項１３に記載のスイッチギヤの導体支持構造。
【請求項１６】
前記第２突起体および前記第３突起体、前記第４突起体および前記第５突起体には、前記貫通孔と同軸線上に形成された貫通孔を有するとともに、前記第１突起体には前記貫通孔と連通する連通穴を有することを特徴とする請求項１２に記載のスイッチギヤの導体支持構造。
【請求項１７】
前記第１突起体の前記連通穴と、前記第２突起体および前記第３突起体の前記貫通孔と、前記第４突起体および前記第５突起体の前記貫通孔と、前記第１係合部、前記第２係合部、前記第３係合部の前記貫通孔とに挿通される回転防止体を設けたことを特徴とする請求項１６に記載のスイッチギヤの導体支持構造。
【請求項１８】
前記第２突起体、前記第３突起体、前記第４突起体、前記第５突起体は、先端部および根本部が前記第１導体に形成された前記第１貫通孔、前記第２導体に形成された前記第２貫通孔、前記第３導体に形成された前記第４貫通孔の内径よりも小さくし、前記第１導体に形成された前記第１貫通孔、前記第２導体に形成された前記第２貫通孔、前記第３導体に形成された前記第４貫通孔と係合する前記先端部と前記根本部との間の一部が前記第１貫通孔、前記第２貫通孔、前記第４貫通孔の内径よりも大きくし、周方向に複数に分割するスリットを設けたことを特徴とする請求項１０に記載のスイッチギヤの導体支持構造。
【手続補正２】
【補正対象書類名】明細書
【補正対象項目名】００１１
【補正方法】変更
【補正の内容】
【００１１】
また、この発明に係わるスイッチギヤの導体支持構造は、第１導体と第２導体との間に第１スペーサが配置され、前記第２導体と第３導体との間に第２スペーサが配置され、前記第１導体と前記第２導体と前記第３導体と前記第１スペーサと前記第２スペーサを絶縁支持物に締結ボルトにより取り付けるスイッチギヤの導体支持構造であって、前記第１導体に形成され、前記締結ボルトが挿通される第１貫通孔と、前記第２導体に形成され、前記締結ボルトが挿通される第２貫通孔と、前記第３導体に形成され、前記締結ボルトが挿通される第４貫通孔と、前記第１スペーサに形成され、前記締結ボルトが挿通される第３貫通孔と、前記第２スペーサに形成され、前記締結ボルトが挿通される第５貫通孔と、前記絶縁支持物の前記第１導体との接続面に形成され、前記第１貫通孔と前記第２貫通孔と前記第３貫通孔と前記第４貫通孔と前記第５貫通孔とに挿通される前記締結ボルトが螺着される締結ボルト取付穴と、前記絶縁支持物の前記第１導体との接続面に前記締結ボルト取付穴から間隔をおいて設けられた第１突起体と、前記第１導体に形成され、前記第１突起体が係合される第１係合部と、前記第２導体に形成された第２係合部と、前記第３導体に形成された第３係合部と、前記第１導体との接続面に形成され、前記第１係合部に係合される第２突起体と、前記第２導体との接続面に形成され、前記第２係合部に係合される第３突起体と、前記第２導体との接続面に形成され、前記第２係合部に係合される第４突起体と、前記第３導体との接続面に形成され、前記第３係合部に係合される第５突起体とを設けたものである。
【手続補正３】
【補正対象書類名】明細書
【補正対象項目名】００２２
【補正方法】変更
【補正の内容】
【００２２】
さらに、絶縁支持物１３の第１突起体１９にはスペーサ１２の貫通孔２４と連通する連通穴２５が形成され、その連通穴２５は絶縁支持物１３内まで形成された場合を示している。
【手続補正４】
【補正対象書類名】明細書
【補正対象項目名】００３３
【補正方法】変更
【補正の内容】
【００３３】
また、第１導体１０と第２導体１１が絶縁被膜処理を行っている場合は、図１２および図１３に示すように、第２導体１１の第２係合部２１である貫通孔、スペーサ１２の貫通孔２４、第１導体１０の第１係合部２０である貫通孔、絶縁支持物１３の連通穴２５に例えばボルトからなる回転防止体２７を挿通させることにより、各貫通孔と連通穴２５の大きさのばらつきが大きい絶縁被膜処理を行った第１導体１０と第２導体１１でも締結ボルト１４による締結時の第１導体１０と第２導体１１の回転をより一層抑制できる。さらに、絶縁支持物１３の連通穴２５に雌ねじを形成し、その雌ねじに回転防止体２７であるボルトを螺着させれば、第１導体１０と第２導体１１との位置決めを容易に行うとともに締結ボルト１４による締結時の第１導体１０と第２導体１１の回転を確実に抑制することができる。
【手続補正５】
【補正対象書類名】明細書
【補正対象項目名】００４７
【補正方法】変更
【補正の内容】
【００４７】
さらに、絶縁支持物１３の第１突起体１９には第１スペーサ３０の貫通孔２４と連通する連通穴２５が形成され、その連通穴２５は絶縁支持物１３内まで形成された場合を示している。
【手続補正６】
【補正対象書類名】明細書
【補正対象項目名】００５９
【補正方法】変更
【補正の内容】
【００５９】
また、第１導体１０と第２導体１１と第３導体２８に絶縁被膜処理を行った場合には、上述した実施の形態１における図１４および図１５に示すような構成となる。すなわち、図示はしないが、第３導体２８の第３係合部３３である貫通孔、第２スペーサ３１の貫通孔３６、第２導体１１の第２係合部２１である貫通孔、第１スペーサ３０の貫通孔２４、第１導体１０の第１係合部２０である貫通孔、絶縁支持物１３の連通穴２５に例えばボルトからなる回転防止体２７を挿通させることにより、各貫通孔と連通穴２５の大きさのばらつきが大きい絶縁被膜処理を行った第１導体１０と第２導体１１と第３導体２８でも締結ボルト１４による締結時の第１導体１０と第２導体１１と第３導体２８の回転をより一層抑制できる。さらに、絶縁支持物１３の連通穴２５に雌ねじを形成し、その雌ねじに回転防止体２７であるボルトを螺着させれば、第１導体１０と第２導体１１と第３導体２８との位置決めを容易に行うとともに締結ボルト１４による締結時の第１導体１０と第２導体１１と第３導体２８の回転を確実に抑制することができる。
【手続補正７】
【補正対象書類名】明細書
【補正対象項目名】００７３
【補正方法】変更
【補正の内容】
【００７３】
１０  第１導体、１１  第２導体、１２  スペーサ、１３  絶縁支持物、１４  締結ボルト、１５  第１貫通孔、１６  第２貫通孔、１７  第３貫通孔、１８  締結ボルト取付穴、１９  第１突起体、２０  第１係合部、２１  第２係合部、２２  第２突起体、２２ａ  先端部、２２ｂ  根本部、２２ｃ  一部、２３  第３突起体、２３ａ  先端部、２３ｂ  根本部、２３ｃ  一部、２４  貫通孔、２５  連通穴、２７  回転防止体、２８  第３導体、２９  第４貫通孔、３０  第１スペーサ、３１  第２スペーサ、３２  第５貫通孔、３３  第３係合部、３４  第４突起体、３５  第５突起体、３６  貫通孔、３７  スリット